(57)【要約】【課題】羽子板ボルトのボルト部分とナットとの間で緩みが生じにくく、長期間に渡って安定して固定することができる補強金具を提供する。【解決手段】補強金具１０を、木材からなる柱２０に固定するための貫通孔１２ａ，１２ｂが設けられた板材１２と、この板材１２の一端に溶接されたボルト部１１と、を備えた羽子板ボルト１のボルト部１１の先端を、木材からなる梁３０に設けられた貫通孔３０ａに貫通させた後、このボルト部１１の先端に設けられたネジ部１１ａに、コイルバネ２を介して、ナット３を螺合させるように構成する。【選択図】図１
2008038361.tif 000002
【特許請求の範囲】
【請求項１】
少なくとも一方が木材からなる二以上の部材を接合する際に用いる補強金具であって、
一の部材に固定するための貫通孔が設けられた板材と、この板材の一端に溶接されたボルト部と、を備えた羽子板ボルトの前記ボルト部の先端を、前記木材からなる部材に設けられた貫通孔に貫通させた後、このボルト部の先端に設けられたネジ部に、コイルバネを介して、ナットを螺合させるように構成されていることを特徴とする補強金具。
【請求項２】
前記コイルバネの少なくとも長さ方向一端に座金を介在させたことを特徴とする請求項1に記載の補強金具。
【発明の詳細な説明】
【技術分野】
【０００１】
本発明は、いずれも木材からなる柱と梁とを接合する際や、いずれか一方が木材からなる柱と梁とを接合する際のように、少なくとも一方が木材からなる二以上の部材を接合する際に用いる補強金具に関するものである。
【背景技術】
【０００２】
通常、柱と梁とを接合する際に用いられる補強金具としては、複数の孔が設けられた板材の一端にボルト部が溶接された羽子板ボルトが知られている。この羽子板ボルトは、板材を、柱等の一方の部材に釘などで固定するとともに、ボルト部を梁等の他方の部材に設けられた貫通孔に貫通させた後、梁から突出したボルト部先端のネジ部に座金を介してナットを螺合させることにより、このボルト部を梁等の他方の木材にボルト部とナットとで固定することで用いられる。
【０００３】
しかしながら、羽子板ボルトのボルト部を木材からなる部材に固定する場合には、経年変化に伴う木材の乾燥収縮により、固定したボルトとナットとの間が緩み、長期間に渡って安定して固定することが難しいという問題があった。
【０００４】
このため、少なくともボルト部を固定する部材が木材からなる二以上の部材を接合した場合に、固定したボルトとナットとの間の緩みを防止するための技術として、特許文献１及び特許文献２に記載の技術が提案されている。
【０００５】
特許文献１では、羽子板ボルトのボルト部を木材からなる柱に設けられた貫通孔に貫通させた後、このボルト部の先端に、二枚の座金に挟まれた複数の皿バネからなる皿バネ弾性体を介して、ナットを螺合させるように構成された羽子板ボルト緩み防止装置が提案されている。
【０００６】
この特許文献１では、ナットを締め付けることで、皿バネに二枚の座金を外に押す力が作用するように構成されている。また、この特許文献１では、皿バネ弾性体をなす皿バネの枚数を変更することにより、皿バネ弾性体の弾性力を調整できるように構成されている。
【０００７】
特許文献２では、羽子板ボルトのボルト部の後端が、板材に設けられた案内筒を貫通した状態で、コイル状バネワッシャを介してナットにより固定されており、その板材が梁等の一方の部材に係止され、ボルト部の先端がナットを介して、柱等の他方の部材に固定された建築用ネジ締め装置が提案されている。
【０００８】
この特許文献２に記載の建築用ネジ締め装置においては、ナットを締め付けることで、コイル状バネワッシャが木材の経年変化に伴う収縮量と同程度又はそれよりも多めに圧縮された状態で支持されるように構成されている。
【０００９】
すなわち、上述した特許文献１及び特許文献２に記載の技術においては、いずれも木材からなる部材が経年変化に伴って収縮した場合であっても、その収縮量に応じて皿バネやコイル状バネワッシャが弾性復帰するため、ボルト部とナットによる締め付け力が維持されるようになっている。
【特許文献１】実用新案第３０７０９６６号公報
【特許文献２】特許第２８０１８５４号公報
【発明の開示】
【発明が解決しようとする課題】
【００１０】
しかしながら、上述した特許文献1に記載の技術においては、使用する木材の種類や適用場所に応じて皿バネの枚数を変更することで、皿バネ弾性体の弾性力を調整するように構成されているため、その微調整が困難で、広範囲の収縮量に対応することができないという問題があった。
【００１１】
一方、上述した特許文献２に記載の技術においては、羽子板ボルトのボルト部の後端が板材にナットにより固定されていることから、羽子板ボルトのボルト部はその両端がナットで固定された構成となっている。このため、木材からなる部材が経年変化に伴って収縮した場合には、コイル状バネワッシャが設けられたボルト部の後端側のナットには緩みが生じにくくなるが、一方、コイル状バネワッシャが設けられていないボルト部の先端側のナットには緩みが生じるという問題があった。
【００１２】
すなわち、上述した特許文献１及び特許文献２に記載の技術においてはいずれも、少なくとも一方が木材からなる二以上の部材を、長期間に渡って安定して固定するという点で更なる改善の余地があった。
【００１３】
そこで、本発明は、上記事情に鑑みてなされたものであり、羽子板ボルトのボルト部とナットとの間で緩みが生じにくく、長期間に渡って安定して固定することができる補強金具を提供することを課題としている。
【課題を解決するための手段】
【００１４】
このような課題を解決するために、本発明は、少なくとも一方が木材からなる二以上の部材を接合する際に用いる補強金具であって、一の部材に固定するための貫通孔が設けられた板材と、この板材の一端に溶接されたボルト部と、を備えた羽子板ボルトの前記ボルト部の先端を、前記木材からなる部材に設けられた貫通孔に貫通させた後、このボルト部の先端に設けられたネジ部に、コイルバネを介して、ナットを螺合させるように構成されていることを特徴とする補強金具を提供する。
【００１５】
なお、コイルバネは、固定する木材からなる部材に必要な弾性力を付与できるように、外径、長さ、                
荷重等を適宜選択して用いる。
【００１６】
本発明に係る補強金具によれば、羽子板ボルトのボルト部を板材の一端に溶接し、ボルト部の先端を木材に設けられた貫通孔に貫通させた後、ボルト部の先端に設けられたネジ部に、コイルバネを介して、ナットを螺合させるように構成したことにより、木材の側面とナットとの間でコイルバネが圧縮されて弾性変形した状態でナットが締め付けられるようになる。これにより、木材が経年変化により収縮した場合であっても、その収縮量に応じて、コイルバネが弾性復帰するため、ボルト部とナットとの間で緩みが生じにくくなり、二以上の部材の接合部を長期間に渡って安定して固定することができる。
【００１７】
すなわち、本発明に係る補強金具は、木材の経年変化に伴う収縮量に応じて弾性復帰させる弾性体として、コイルバネを採用したことにより、弾性体として皿バネを採用した場合（特許文献１）と比べて、弾性力の微調整が容易で、広範囲の収縮量に対応することが可能となる。
【００１８】
また、本発明に係る補強金具は、羽子板ボルトのボルト部を板材の一端に溶接し、ボルト部の先端側にコイルバネを介してナットを螺合させるように構成したことにより、羽子板ボルトのボルト部の後端を板材にナットにより固定し、ボルト部の先端部を木材にナットにより固定した場合（特許文献２）と比べて、ボルト部とナットとの締結箇所が少なくなるため、ボルト部とナットとの間の緩みを安定して防止することが可能となる。
【００１９】
ここで、本発明に係る補強金具において、前記コイルバネの少なくとも長さ方向一端に座金を介在させた構成としてもよい。
【００２０】
この構成によれば、ボルト部分とナットとの間の緩みを効果的に防止することが可能となる。また、座金としてバネ座金を介在させることにより、ボルト部分とナットとの間の緩みをさらに効果的に防止することが可能となる。
【発明の効果】
【００２１】
本発明に係る補強金具によれば、羽子板ボルトのボルト部を板材の一端に溶接し、ボルト部の先端を木材に設けられた貫通孔に貫通させた後、ボルト部の先端に設けられたネジ部に、コイルバネを介して、ナットを螺合させるように構成したことにより、木材が経年変化により収縮した場合であっても、ボルト部とナットとの間で緩みが生じにくく、長期間に渡って安定して固定することができる。
【発明を実施するための最良の形態】
【００２２】
以下、本発明の実施形態について図面を参照しながら説明する。
【００２３】
図１は、本発明に係る補強金具の一例を示す分解斜視図である。図２は、図1に示す補強金具の一使用例を示し、（ａ）は断面図、（ｂ）は斜視図である。
【００２４】
本実施形態に係る補強金具１０は、図1に示すように、一の部材（例えば、柱）に固定される板材１２と、この板材１２の一端に溶接され、他の部材（例えば、梁）に固定されるボルト部１１とを備えた羽子板ボルト１と、そのボルト部１１の先端に設けられたネジ部１１ａに挿入されるコイルバネ２及びナット３と、から構成されている。
【００２５】
ここで、板材１２には、この板材１２を一の部材に釘で固定するための貫通孔１２ａと、ボルト５で固定するための貫通孔１２ｂが設けられている。また、コイルバネ２は、その両端が角座金４で挟持された状態で挿入されている。さらに、ナット３は、ボルト部１１の先端に設けられたネジ部１１ａとの間の緩みを防止するために、二個のナット３，３を螺合させた二重ナット構造としている。
【００２６】
次に、本実施形態に係る補強金具１０を、図２に示すように、木材からなる柱２０と木材からなる梁３０とを接合する際の補強部材として用いる場合について説明する。
【００２７】
まず、羽子板ボルト１のボルト部１１の先端を、梁３０に設けられた貫通孔３０ａに貫通させるとともに、羽子板ボルト１の板材１２を柱２０の側面に接触させた状態で設置する。
【００２８】
次に、羽子板ボルト１の板材１２に設けられた貫通孔１２ａから、釘８を柱２０に打ち込む。続いて、羽子板ボルト１の板材１２に設けられた貫通孔１２ｂから、ボルト５を柱２０に設けられた貫通孔２０ａに貫通させて、そのボルト５の先端に座金６を介してナット７を螺合させる。これにより、羽子板ボルト１の板材１２を、柱２０に固定することができる。
【００２９】
次に、羽子板ボルト１のボルト部１１の先端に角座金４と、コイルバネ２と、角座金４と、をこの順で貫通させた後、このボルト部１１の先端に設けられたネジ部１１ａに二個のナット３を螺合させる。これにより、羽子板ボルト１のボルト部１１を、コイルバネ２を弾性変形させた状態で、梁３０に固定することができる。
【００３０】
この時、柱２０や梁３０をなす木材の経年変化に伴う収縮率を考慮して、コイルバネ２に必要な弾性力が得られるように、ナット３の締結力を調整する。
【００３１】
本実施形態に係る補強金具１０によれば、コイルバネ２を圧縮して弾性変形させた状態で、柱２０と梁３０とを固定することができるため、木材が経年変化に伴って収縮した場合であっても、その収縮率に応じてコイルバネ２が弾性復帰するため、羽子板ボルト１のボルト部１１とナット３との間で緩みが生じず、柱２０と梁３０との接合部を長期間に渡って安定して固定することができる。
【００３２】
また、本実施形態に係る補強金具１０によれば、羽子板ボルト１のボルト部１１とナット３との間にコイルバネ２を介在させ、このコイルバネ２を圧縮して弾性変形を加えた状態でナット３を螺合させているため、ボルト部とナットとの間に皿バネを介在させた特許文献１に記載の技術よりも、大きな弾性変形力を付与できる。
よって、木材の経年変化に伴う収縮率の変化幅が大きな場合であっても、柱２０と梁３０との接合部を長期間に渡って安定して固定することができる。
【００３３】
さらに、本実施形態に係る補強金具１０によれば、羽子板ボルト１のボルト部１１が板材１２に溶接により固定されているため、ボルト部１１の先端のみにナット３を螺合させればよいため、ボルト部の両端にナットで螺合させた構成を有する特許文献２に記載の技術よりも、ボルト部１１とナット３との締結箇所が少なくなり、ボルト部１１とナット３の間で緩みが生じにくくなる。よって、木材の経年変化に伴う収縮率の変化幅が大きな場合であっても、柱２０と梁３０との接合部を長期間に渡って安定して固定することができる。
【００３４】
さらにまた、本実施形態においては、羽子板ボルト１のボルト部１１の先端に座金４で挟持した状態でコイルバネ２を挿入したことにより、梁３０の下面とナット３との間に均一にコイルバネ２の弾性変形力が加わるため、ボルト部１１とナット３との間でさらに緩みが生じにくくできる。
【００３５】
さらに、本実施形態においては、ボルト部１１の先端に設けられたネジ部１１ａに螺合させるナット３を二重構造にしたことにより、ボルト部１１とナット３との間にさらに緩みを生じにくくできる。
【００３６】
なお、本実施形態の補強金具１０においては、両方とも木材からなる二つの部材（柱と梁）を接合する際に用いた場合について説明したが、本発明に係る補強金具１０は、少なくとも一の部材が木材からなる場合であれば好適に用いることができる。例えば、金属からなる柱と、木材からなる梁とを接合する際に、木材からなる梁に羽子板ボルトのボルト部を固定するようにすれば、梁をなす木材の経年変化に伴う収縮が生じた場合であっても、梁と柱との接合部を長期間に渡って安定して固定することができる。
【００３７】
また、本実施形態の補強金具１０においては、座金４、コイルバネ２、ナット３、及びネジ部１１ａを梁３０の下面に突出した状態で設けた場合について説明したが、インテリア性を考慮して、梁３０の下面に凹部を設け、この凹部内にこれらの部材（座金４、コイルバネ２、ナット３、及びボルト部１１のネジ部１１ａ）を収納した状態で設けるようにしてもよい。
【図面の簡単な説明】
【００３８】
【図１】本発明に係る補強金具の一例を示す分解斜視図である。
【図２】本発明に係る補強金具の一使用例を示し、（ａ）は断面図、（ｂ）は斜視図である。
【符号の説明】
【００３９】
１  羽子板ボルト
２  コイルバネ
３，７  ナット
４，６  座金
５  ボルト
８  釘
１０  補強金具
１１  ボルト部
１１ａ  ネジ部
１２  板材
１２ａ，１２ｂ  貫通孔
２０  柱（一の部材）
３０  梁（他の部材）
【図１】
2008038361.tif 000003
【図２】
2008038361.tif 000004